(57)【特許請求の範囲】
【請求項１】
第１および第２のエアゾール容器と、各エアゾール容器を併設して保持する連結部と、各エアゾール容器のステムに嵌着される噴射部材と、該噴射部材を押し下げる可撓性のある材質の操作部を有するキャップを備えており、前記噴射部材から噴射される混合液の噴射方向がエアゾール容器に対し、正面横方向にされてなる混合液噴射用エアゾール装置であって、
前記操作部が、一端がキャップに支持され、内面に前記噴射部材を押し下げる作用部を備えるとともに、他端に引きレバー部を有するテコ式レバーであり、
前記作用部が噴射部材を股いで垂設しており、噴射部材の側面の２箇所の位置に形成した突起を押し下げるものであり、
前記噴射部材を垂直方向に作動させるための案内部が設けられ、
前記案内部が、噴射部材の側面に形成した突起と、キャップの内側に形成された内壁に設けた案内溝である
混合液噴射用エアゾール装置。
【請求項２】
前記噴射部材から噴射される混合液が、前記操作部を指で引く操作により噴射される請求項１記載のエアゾール装置。
【請求項３】
前記操作部が、支点、作用点および力点の関係にされてなる請求項１または２記載のエアゾール装置。
【請求項４】
前記操作部の支点が前記噴射部材の上方または下方の位置にされてなる請求項１、２または３記載のエアゾール装置。 
【請求項５】
前記作用部が前記各エアゾール容器のステムからほぼ等しい距離の中央部位に形成されてなる請求項１記載のエアゾール装置。 
【請求項６】
前記操作部が、他端側に開口部および引きレバー部を有し、先端ノズルが前記操作部の開口部から水平方向に突出した噴射部材を備えている請求項１記載のエアゾール装置。
【請求項７】
前記先端ノズルが伸縮自在にされてなる請求項６記載のエアゾール装置。
【請求項８】
前記操作部が前記噴射部材を上方または下方の位置から押し下げる請求項１記載のエアゾール装置。
【請求項９】
前記噴射部材の先端ノズルから上流側の噴射通路に、前記第１および第２のエアゾール容器から噴射される液体を混合させるための混合室が形成されてなる請求項１または６記載のエアゾール装置。
【発明の詳細な説明】
【０００１】
【発明の属する技術分野】
本発明は混合液噴射用エアゾール装置（以下、単にエアゾール装置という）に関する。さらに詳しくは、たとえば２液を混合した染毛剤またはパーマ剤などをブラシに塗布することができるエアゾール装置に関する。
【０００２】
【従来の技術】
従来より、２液を混合して噴射させるエアゾール装置として、２個のエアゾール容器と、各容器のカール部にかしめにより保持された上部材と、各容器のステムに嵌着された分与器とからなり、該分与器の駆動区域（ボタン）を指で押し下げて変形させ、各容器の弁を開くようにしたものがある（特開昭６３−８８号公報参照）。または第一および第二エアゾール容器と、各容器を囲んで一体容器にするカバー部と、各容器のステムに嵌着される押下部と、各容器の上部に設けられた塗布部と、該塗布部と押下部に連通されたパイプとからなり、押下部の指掛部（ボタン）を指で押し下げることにより、噴射材が押下部からパイプ内で混合状態になって通り、塗布部の内部空洞に排出されるようにしたものがある（特開平８−１６８４０９号公報参照）。
【０００３】
【発明が解決しようとする課題】
しかしながら、前記特開昭６３−８８号公報および特開平８−１６８４０９号公報記載のエアゾール装置では、各容器の上部にある作動ボタンを指で押す、すなわち人差し指を親指側に起こしてボタンを押すため、押さえにくいという問題がある。また前記特開昭６３−８８号公報記載のエアゾール装置では、作動ボタンが２つのステム間の中心部にないため、２つのステムを確実に作動させにくいという問題がある。一方、特開平８−１６８４０９号公報記載のエアゾール装置では、押下部がステム間の中心部にあるが、塗布部が幅の狭い押下部の前方位置に形成されているため、塗布部を押さえないように、押下部を斜め下方へ押し下げて、２つのステムを確実に作動させにくいという問題がある。
【０００４】
本発明は、叙上の事情に鑑み、操作性を向上させて使い勝手が良いエアゾール装置を提供することを目的とする。
【０００５】
【課題を解決するための手段】
本発明のエアゾール装置は、第１および第２のエアゾール容器と、各エアゾール容器を併設して保持する連結部と、各エアゾール容器のステムに嵌着される噴射部材と、該噴射部材を押し下げる可撓性のある材質の操作部を有するキャップを備えており、前記噴射部材から噴射される混合液の噴射方向がエアゾール容器に対し、正面横方向にされてなる混合液噴射用エアゾール装置であって、前記操作部が、一端がキャップに支持され、内面に前記噴射部材を押し下げる作用部を備えるとともに、他端に引きレバー部を有するテコ式レバーであり、前記作用部が噴射部材を股いで垂設しており、噴射部材の側面の２箇所の位置に形成した突起を押し下げるものであり、前記噴射部材を垂直方向に作動させるための案内部が設けられ、前記案内部が、噴射部材の側面に形成した突起と、キャップの内側に形成された内壁に設けた案内溝であることを特徴としている。
【０００６】
また本発明のエアゾール装置は、第１および第２のエアゾール容器と、各エアゾール容器を併設して保持する連結部および該連結部の周辺からコ字状に立ち上がる立設部からなるキャップと、一端が前記キャップに支持され、内面に前記第１および第２のエアゾール容器の各ステムを押し下げる作用部を備えるとともに、他端側に開口部および引きレバー部を有する操作部と、前記第１および第２のエアゾール容器の各ステムに嵌着され、先端ノズルが前記操作部の開口部から水平方向に突出した噴射部材とからなることを特徴としている。
【０００７】
【発明の実施の形態】
以下、添付図面に基づいて本発明のエアゾール装置を説明する。
【０００８】
図１は本発明のエアゾール装置の一実施の形態を示す斜視図、図２は図１におけるエアゾール装置の部分切欠正面図、図３は図１におけるエアゾール装置の動作を示す説明図、図４は作用部の他の実施の形態を示す部分断面図、図５は図４におけるエアゾール装置の動作を示す説明図、図６は案内部における噴射部材の他の実施の形態を示す側面図、図７は図６における噴射部材の正面図、図８は案内部におけるキャップの他の実施の形態を示す断面図、図９は図８におけるキャップのＩ−Ｉ断面図である。
【０００９】
図１〜２に示すように、エアゾール装置は、第１および第２のエアゾール容器１、２と、各エアゾール容器１、２を併設して保持する連結部３および該連結部３の周辺からコ字状に立ち上がる立設部４からなるキャップ５と、一端が前記キャップ５に支持され、内面に前記第１および第２のエアゾール容器１、２の各ステム６、７を押し下げる作用部８を備えるとともに、他端側に開口部９および引きレバー部１０を有する操作部１１と、前記第１および第２のエアゾール容器の各ステム６、７に嵌着され、先端ノズル１２が前記操作部１１の開口部９から水平方向に突出した噴射部材１３とから構成されている。
【００１０】
本実施の形態では、たとえば染毛剤を塗布するばあい、前記第１のエアゾール容器１には、酸性染料、アルカリ剤および界面活性剤などを配合したアルカリ性原液が収納され、第２のエアゾール容器２には、過酸化水素、安定剤（キレート剤）およびｐＨ調整剤などの酸化剤が収納されている。
【００１１】
前記連結部３は、各容器１、２におけるマウティングカップ１４のステム６、７を囲んで各容器１、２に嵌着されている。
【００１２】
前記操作部１１は、一端に形成される切欠部１５をキャップ５における立設部４の後端内壁面１６に形成されるフック１７に差し込んで支持されており、前記一端を支点として、前記引きレバー部１０を指で引くと、前記作用部８が噴射部材１３を押し下げる、いわばテコ式レバーにされている。すなわち、前記一端が支点Ａであり、前記作用部８が作用点Ｂであり、前記レバー部１０が力点Ｃである関係にされている。なお、操作部１１の材質としては、一部可撓性を持たせるため、たとえばポリエチレン（ＰＥ）またはポリプロピレン（ＰＰ）からなり、レバー部１０を引くことにより操作部１１が撓むようにされている。
【００１３】
本実施の形態におけるキャップ５は、連結部３の外周部に立設部４を嵌め付けて形成されているが、本発明においては、これに限定さているものではなく、連結部３と立設部４とを一体成形により形成することができ、また本実施の形態では、前記操作部１１がキャップ５に切欠部１５とフック１７により支持されているが、操作部１１をキャップ５に一体成形により支持することもできる。
【００１４】
前記作用部８は、前記各容器１、２のステム６、７からほぼ等しい距離の中央部位に形成されており、図３に示すように、引きレバー部１０を引いたときに、作用部８がステム６、７から等しい距離Ｌの位置から噴射部材１３を押しさげることができるように設定されている。なお、本実施の形態では、作用部８は断面三角形にされて、頂点で噴射部材１３を押し下げるようにされているが、本発明においては、とくにこれに限定されるものではなく、たとえば断面が台形の操作部、長方形の操作部、正方形の操作部または先端が半円状の操作部などにすることができる。または支点である作用部の当接位置を下方にすることもできる。たとえば図４に示すように、噴射部材１３を股いで作用部８ａを長く垂設させ、噴射部材１３の側面下方の２箇所の位置に形成した突起１３ａを押し下げるようにすることができる。かかるばあい、図５に示すように、噴射時に、作動部位（噴射部材とステムの接合点）を作用点よりも高くすることで、噴射部材を垂直下方へ案内しやすくする。このように、支点の位置が下方にあることにより、操作部が撓みやすくすることができる。なお、前記作用部８ａの先端形状は、半球状などの丸みを帯びた形状にされているが、とくにこれに限定されるものではなく、尖った形状にすることができる。
【００１５】
前記噴射部材１３は、ステム嵌合本体１８と先端に圧入される先端ノズル１２とから構成されており、前記ステム嵌合本体１８には、前記ステム６、７に嵌着される嵌合部１９、２０および噴射通路２１が形成されている。先端ノズル１２は、ノズルが嵌合する部分の周囲にゴムなどの弾性体を設け、嵌合本体１８との抵抗を大きくすることなどにより伸縮自在にすることが好ましい。かかるばあい、ノズルを伸ばした状態で噴射すると、容器本体を立てた状態で使用できるので、ガス抜けがない。本実施の形態では、噴射部材１３と前記連結部３とのあいだに、該噴射部材１３の上下移動を案内するための案内部２２を設けるのが好ましい。該案内部２２としては、たとえば前記連結部３の上壁面２３に形成される案内溝（凹部）２４と前記噴射部材１３におけるステム嵌合本体１８の内壁面２５に形成される突起（凸部）２６とからなるものを用いることができる。または逆に前記連結部の上壁面に突起を形成し、前記噴射部材の内壁面に案内溝を形成したものであってもよい。または前記連結部の上壁面に前記ステム嵌合本体を外周部側から案内する凹部を形成したものとすることもできる。かかる案内部２２を設けることにより、前記操作部１１により噴射部材１３を垂直方向にさらに確実に作動させることができる。なお、本実施の形態では、案内部が噴射部材と連結部材とのあいだに設けられているが、本発明においては、とくにこれに限定されるものではなく、たとえば図６〜９に示すように、案内部３０として、噴射部材３１の側面に、該噴射部材３１を垂直方向へ案内するための突起３２を設けるとともに、キャップ３３の内側に形成された平行な内壁３４に前記突起３２が嵌まり込んで接合する案内溝３５を設けるようにすることもできる。このように、案内部３０を噴射部材３１の突起３２とキャップ３３の案内溝３５とすることにより、噴射部材３１を垂直下方へ案内する部分が２箇所あるため、すなわち噴射部材３１を両側部から案内するため、より確実に噴射部材３１を垂直下方へ作動させ、噴射させることができる。
【００１６】
また前記噴射部材１３の先端ノズル１２から上流側、すなわち前記容器１のステム６の上部位にある噴射通路２１に、混合室２７を形成するのが好ましい。かかる混合室２７を形成することにより、前記容器１、２から噴射される液体を確実に混合させることができる。また混合室２７の容積を適宜変更することにより、混合比を各容器１、２の液体の種類に応じて適宜変更することもできる。
【００１７】
本実施の形態では、エアゾール容器を２本併設しているが、本発明においては、これに限定されるものではなく、混合液の種類に応じて３〜４本程度併設することもできる。
【００１８】
【発明の効果】
以上説明したとおり、本発明によれば、操作部の引きレバー部を指で引く操作により、簡単に混合液をエアゾール容器に対し、正面横方向に噴射することができるため、操作性が向上し、使い勝手が良い。また操作部の引きレバー部を指で引くと、作用部が各容器のステム間の中央部位から噴射部材を押し下げ、確実にステムを作動させることができるため、操作性を向上させることができる。
【図面の簡単な説明】
【図１】本発明のエアゾール装置の一実施の形態を示す斜視図である。
【図２】図１におけるエアゾール装置の部分切欠正面図である。
【図３】図１におけるエアゾール装置の動作を示す説明図である。
【図４】作用部の他の実施の形態を示す説明図である。
【図５】図４におけるエアゾール装置の動作を示す説明図である。
【図６】案内部における噴射部材の他の実施の形態を示す側面図である。
【図７】図６における噴射部材の正面図である。
【図８】案内部におけるキャップの他の実施の形態を示す断面図である。
【図９】図８におけるキャップのＩ−Ｉ断面図である。
【符号の説明】
１、２  エアゾール容器
３  連結部
４  立設部
５  キャップ
６、７  ステム
８  作用部
９  開口部
１０  引きレバー部
１１  操作部
１２  先端ノズル
１３  噴射部材
１５  切欠部
１６  後端内壁面
１７  フック
１８  ステム嵌合本体
１９、２０  嵌合部
２１  噴射通路
２２  案内部
２３  上壁面
２４  案内溝（凹部）
２５  内壁面
２６  突起（凸部）
２７  混合室
【図１】
0003895828.tif 000002
【図２】
0003895828.tif 000003
【図３】
0003895828.tif 000004
【図４】
0003895828.tif 000005
【図５】
0003895828.tif 000006
【図６】
0003895828.tif 000007
【図７】
0003895828.tif 000008
【図８】
0003895828.tif 000009
【図９】
0003895828.tif 000010